(57)【要約】【課題】発汗の必要のない部分については発汗を促さないようにし、着用者の不快感を軽減することができる発汗着を提供すること。【解決手段】この考案の発汗着は、上半身に着用する発汗着であって、発汗を促す生地からなる発汗性領域１と、発汗性領域１よりも通気性のある生地からなる通気性領域２とで構成されている。この発汗着は、着用者の胸囲に接する上部３と、その下方の下部４、及び左右の袖部５から構成され、前記上部３を通気性領域２としたものとすることができる。また、着用者の胸部に接する部分６を通気性領域２とすることができる。【選択図】  図１
0003128384.tif 000002
【実用新案登録請求の範囲】
【請求項１】
上半身に着用する発汗着であって、発汗を促す生地からなる発汗性領域（１）と、発汗性領域（１）よりも通気性のある生地からなる通気性領域（２）とで構成されていることを特徴とする発汗着。
【請求項２】
着用者の胸囲に接する上部（３）と、その下方の下部（４）、及び左右の袖部（５）から構成され、前記上部（３）を通気性領域（２）としている請求項１記載の発汗着。
【請求項３】
着用者の胸部に接する部分（６）を通気性領域（２）としている請求項１記載の発汗着。
【請求項４】
発汗性領域（１）の生地が、表生地（１ａ）と中材（１ｂ）と裏生地（１ｃ）からなり、前記中材（１ｂ）が保温性を有するものとしている請求項１、２又は３記載の発汗着。
【請求項５】
通気性領域（２）の生地が、発汗性領域（１）の生地よりも伸縮性のあるものとしている請求項１、２、３又は４記載の発汗着。
【請求項６】
発汗性領域（１）の生地が、ポリエステル製の表生地（１ａ）、ポリウレタン製の中材（１ｂ）、及びコットン製の裏生地（１ｃ）からなり、通気性領域（２）の生地が、ナイロン製、又はナイロンを主体とする複合繊維からなるものとしている請求項１、２、３、４又は５記載の発汗着。
【考案の詳細な説明】
【技術分野】
【０００１】
この考案は、運動やダイエット等の目的で着用される発汗着に関するものである。
【背景技術】
【０００２】
運動やダイエット等の目的で着用されるようにした従来の発汗着は、「シェイプスーツ」、「サウナスーツ」等の名称で市販されているが、保温性があり、かつ気密性の高い生地で全体が作製されており、全体で着用者の身体の発汗を促すようになっている（例えば特許文献１参照）。
【０００３】
ところが、最近では、身体の特定部分のみの発汗ないし脂肪燃焼を目的とする、いわゆる「部分ダイエット」が望まれるケースが増えているが、従来の発汗着では、発汗の必要のない部分まで発汗させるようになっているため、着用者の満足を得られなくなっており、特に女性の場合、胸部の発汗を望まない場合が多い。また、胸部の発汗が多くなると、汗による蒸れと熱気のこもりにより、着用者に不快感を与えるため、長時間の着用には耐え難いものとなっていた。
【特許文献１】実用新案登録第３０１２１３５号公報
【考案の開示】
【考案が解決しようとする課題】
【０００４】
そこで、この考案は、発汗の必要のない部分については発汗を促さないようにし、着用者の不快感を軽減することができる発汗着を提供することを課題とする。
【課題を解決するための手段】
【０００５】
この考案の発汗着は、上半身に着用する発汗着であって、発汗を促す生地からなる発汗性領域１と、発汗性領域１よりも通気性のある生地からなる通気性領域２とで構成されているものとしている。
【０００６】
この発汗着は、着用者の胸囲に接する上部３と、その下方の下部４、及び左右の袖部５から構成され、前記上部３を通気性領域２としたものとすることができる。
【０００７】
また、着用者の胸部に接する部分６を通気性領域２とすることができる。
【０００８】
発汗性領域１の生地は、表生地１ａと中材１ｂと裏生地１ｃからなり、前記中材１ｂが保温性を有するものとすることができる。
【０００９】
また、通気性領域２の生地は、発汗性領域１の生地よりも伸縮性のあるものとすることができる。
【００１０】
さらに、発汗性領域１の生地が、ポリエステル製の表生地１ａ、ポリウレタン製の中材１ｂ、及びコットン製の裏生地１ｃからなり、通気性領域２の生地が、ナイロン製、又はナイロンを主体とする複合繊維からなるものとすることができる。
【考案の効果】
【００１１】
この考案の発汗着は、上述のような構成を有しており、通気性領域２においては、通気性があるため、着用者が受ける不快感が軽減され、快適に着用することができる。
【００１２】
着用者の胸囲に接する上部３と、その下方の下部４、及び左右の袖部５から構成され、前記上部３を通気性領域２とすれば、着用者の胸より上の部分は通気性があるため、着用者が受ける不快感が少なく、また、着用者の腕や腹の部分は発汗を促すようになっているため、この部分の発汗や脂肪燃焼を促すことができる。また、通気性領域２は、着用者の胸部に接する部分６に限定することもできる。
【００１３】
発汗性領域１の生地は、表生地１ａと中材１ｂと裏生地１ｃからなり、前記中材１ｂが保温性を有するもの、具体的には、表生地１ａがポリエステル製、中材１ｂがポリウレタン製、裏生地１ｃがコットン製とすることにより、効果的に発汗を促すことができる。
【００１４】
通気性領域２の生地が、発汗性領域１の生地よりも伸縮性のあるもの、具体的には、ナイロン製、又はナイロンを主体とする複合繊維からなるものとすれば、着用者の運動や着脱の際に引っ張られても痛みにくく、特に着用者が女性の場合には、胸部に接する通気性領域２の生地が伸縮性に優れたものであれば、胸部のラインによくフィットし、着心地のよいものとなる。
【考案を実施するための最良の形態】
【００１５】
以下、この考案の好適な実施形態を、図面を参照して説明する。
【００１６】
図１はこの考案の実施形態の発汗着の正面図、図２は発汗性領域１の生地の構成の説明図、図３はこの発汗着の着用状態を示す説明図である。
【００１７】
この発汗着は、上半身に着用する発汗着であって、発汗を促す生地からなる発汗性領域１と、発汗性領域１よりも通気性のある生地からなる通気性領域２とで構成されている。この発汗着は、トップスとボトムスとで構成される「シェイプスーツ」ないし「サウナスーツ」と称されるものの、トップスとすることができる。
【００１８】
この発汗着は、着用者の胸囲（背中側も含めて）に接する上部３と、その下方の下部４、及び左右の袖部５から構成され、前記下部４及び左右の袖部５を発汗性領域１、前記上部３を通気性領域２としている。
【００１９】
上部３は、中央上端に首を通す襟口７を設けており、左右に袖部５との接続部分８を縫製により取り付けたものとしている。この発汗着は女性用としており、着用者の胸部にフィットするように、胸部に接する部分６に弛みを持たせている。なお、着用者の胸部に接する部分６（略ｗ字状のライン９の内側部分）のみを通気性領域２とし、背中に接する部分を発汗性領域１としてもよい。
【００２０】
下部４は、その上端部周囲が前記上部３に縫製によって取り付けられたものであり、正面側において、中央上端付近から着用者のヒップの左側寄りの位置付近に至るファスナー９が設けられており、このファスナー１０の開閉操作によって、着脱が容易になるようにしている。
【００２１】
左右の袖部５は、それぞれ前記上部３の接続部分８に縫製によって取り付けられたものであり、その上側の接続部分８寄りの位置から外端側に至るファスナー１１が設けられており、このファスナー１１の開閉操作によって、着脱が容易になるようにしている。
【００２２】
発汗性領域１は、表生地１ａと中材１ｂと裏生地１ｃからなる。表生地１ａは伸縮性を有するものとすることにより、身体の動きに合わせて均一な圧力をかけ、マッサージ効果が得られるようにし、中材１ｂは保温性を有するものとすることにより、体温を上昇させ血流を活発にし、発汗や脂肪燃焼の効果が得られるようにし、裏生地１ｃは肌触りが良く汗を吸収し易いものとすることにより、快適な着心地が得られるようにしている。具体的には、表生地１ａがポリエステル繊維、中材１ｂがポリウレタン繊維、裏生地１ｃがコットン繊維からなるものとしている。
【００２３】
通気性領域２の生地は、できるだけ通気性の優れたものであって、伸縮性があり、着用者の運動や着脱の際に引っ張られても痛みにくいものであることが望ましい。例えば、ナイロン製、又はナイロンを主体とする複合繊維からなるものとすることができる。より具体的には、ナイロン繊維が９５重量％程度、ポリウレタン繊維が５重量％程度の混合繊維からなる生地とすることができる。
【００２４】
胸部に接する通気性領域２の生地が伸縮性に優れたものであれば、女性が着用する場合には、胸部のラインによくフィットし、着心地がよい。また、通気性領域２の生地は、発汗性領域１の生地よりも薄手の生地とすることが望ましい。
この発汗着は、運動をする際に着用するとよいが、室内着等として日常的に着用されるものとしてもよい。この発汗着を着用すると、発汗性領域１に接する着用者の身体の部分の発汗が促され、脂肪の燃焼にもつながる一方、通気性領域２に接する部分は、発汗しにくく、蒸れにくく、着用者の不快感が軽減されるので、長時間の着用に耐えられ、より運動量を増やすことが可能となっている。
【００２５】
以上がこの考案の発汗着の一実施形態であるが、各部の形状、寸法、材質等は、適宜変更して実施することが可能である。
【図面の簡単な説明】
【００２６】
【図１】この考案の実施形態の発汗着の正面図である。
【図２】この考案の実施形態の発汗着の、発汗性領域の生地の構成の説明図である。
【図３】この考案の実施形態の発汗着の、着用状態を示す説明図である。
【符号の説明】
【００２７】
１  発汗性領域
１ａ  表生地
１ｂ  中材
１ｃ  裏生地
２  通気性領域
３  上部
４  下部
５  袖部
６  胸部に接する部分
【図１】
0003128384.tif 000003
【図２】
0003128384.tif 000004
【図３】
0003128384.tif 000005